(57)【要約】【課題】色視力や色視野を色別に正確に測定することができる。【解決手段】本発明に係る色視機能測定手段１は、有彩色にて着色された複数の視標（例えば、ランドルト環）Ａ１１，…を無彩色の背景Ｂ中に表示したものであり、該視標Ａ１１，…の輝度は、前記背景Ｂの輝度とほぼ等しくなるように設定されている。この色視機能測定手段１で視力や視野を測定すれば、視力や視野を色別に正確に測定することができる。【選択図】図１
2013157573.tif 000002
【特許請求の範囲】
【請求項１】
有彩色にて着色された複数の視標が背景中に表示されてなる色視機能測定手段であって、各視標を被検者が視認できるか否かを検査することに基づき該被検者の色視機能である色視力及び／又は色視野を測定することができる色視機能測定手段において、
前記複数の視標の全て、又は該複数の視標の内の少なくとも所定数の視標は、略同じ有彩色にて着色されてなり、
該視標の輝度は、前記背景の輝度とほぼ等しくなるように設定され、
前記有彩色についての色視力及び／又は色視野を測定できるように構成された、
ことを特徴とする色視機能測定手段。
【請求項２】
前記複数の視標の全ての輝度、又は前記所定数の視標の輝度は、略等しく設定され、
該視標の輝度をα［ｃｄ／ｍ２］とし、前記背景の輝度をβ［ｃｄ／ｍ２］とした場合に、次式が成立するように構成された、
ことを特徴とする請求項１に記載の色視機能測定手段。
【数１】
2013157573.tif 000005
【請求項３】
前記背景は無彩色である、
ことを特徴とする請求項１又は２に記載の色視機能測定手段。
【請求項４】
前記複数の視標の全て、又は前記所定数の視標は、大きさが異なるように設定され、
各視標を被検者が視認できるか否かを検査することに基づき前記有彩色についての前記被検者の色視力を測定できるように構成された、
ことを特徴とする請求項１乃至３のいずれか１項に記載の色視機能測定手段。
【請求項５】
前記複数の視標の全て、又は前記所定数の視標は、大きさが略等しくなるように設定され、
種々の位置に呈示される各視標を被検者が視認できるか否かを検査することに基づき前記有彩色についての前記被検者の色視野を測定できるように構成された、
ことを特徴とする請求項１乃至３のいずれか１項に記載の色視機能測定手段。
【請求項６】
前記背景及び前記視標が表示される紙又は樹脂製シートである、
ことを特徴とする請求項１乃至５のいずれか１項に記載の色視機能測定手段。
【請求項７】
液晶ディスプレイ、プラズマディスプレイ、有機ＥＬディスプレイ、及びＣＲＴの内の少なくとも１つからなるディスプレイ部と、
前記背景を該ディスプレイ部に表示する背景表示部と、
所定の輝度、所定の色、及び所定の大きさの視標を前記ディスプレイ部に表示する視標表示部と、
を備えたことを特徴とする請求項１乃至５のいずれか１項に記載の色視機能測定手段。
【請求項８】
前記視標表示部により前記視標を表示する時間を制限する表示時間制限部と、
該表示された視標を被検者が認識した旨の信号を出力する認識検知部と、
該認識検知部からの信号に基づき前記被検者の色視力及び／又は色視野を判定する色視機能判定部と、
を備えたことを特徴とする請求項７に記載の色視機能測定手段。
【請求項９】
各色毎の視標表示時間を記憶する視標表示時間記憶部と、
前記視標表示部により前記視標を表示する時間を、前記視標表示時間記憶部に記憶されている各色毎の視標表示時間に制限する表示時間制限部と、
表示された視標を被検者が認識した旨の信号を出力する認識検知部と、
該認識検知部からの信号に基づき前記被検者の色視力及び／又は色視野を判定する色視機能判定部と、
を備えたことを特徴とする請求項７に記載の色視機能測定手段。
【請求項１０】
請求項１乃至９のいずれか１項に記載の色視機能測定手段により測定した色視機能についての測定結果を入力する色視機能測定結果入力手段と、
色味の影響を受けない通常視機能についての測定結果を入力する通常視機能測定結果入力手段と、
前記色視機能についての測定結果と前記通常視機能についての測定結果とを比較又は表示する測定結果比較表示手段と、
を備えたことを特徴とする色視機能測定システム。
【請求項１１】
請求項１乃至９のいずれか１項に記載の色視機能測定手段により測定した色視機能についての測定結果を入力する色視機能測定結果入力手段と、
該色視機能測定結果入力手段により入力された測定結果を、色度図上に三次元表示する測定結果表示手段と、
を備えたことを特徴とする色視機能測定システム。
【請求項１２】
請求項１乃至９のいずれか１項に記載の色視機能測定手段により測定した色視機能についての測定結果を入力する色視機能測定結果入力手段と、
前記色視機能測定手段により測定した被検者の年齢を入力する年齢入力手段と、
色視機能についての年齢別の基準データを保存する基準データ保存手段と、
前記年齢入力手段により入力された年齢データに基づき、前記基準データ保存手段から該年齢データに対応する基準データを抽出する基準データ抽出手段と、
前記色視機能測定結果入力手段により入力された測定結果と前記基準データ抽出手段により抽出された基準データとを比較するデータ比較手段と、
を備えたことを特徴とする色視機能測定システム。
【発明の詳細な説明】
【技術分野】
【０００１】
本発明は、被検者の色視力及び／又は色視野を測定することができる色視機能測定手段及び色視機能測定システムに関する。
【背景技術】
【０００２】
従来、視力や視野の測定には白色や黒色の視標を使用するのが一般的であった（例えば、特許文献１参照）。しかし、我々の身の回りは有彩色で着色された物で溢れていて、白色や黒色をした物は少ないのが実情である。そこで、近年は、白色や黒色の視標を使用して測定を行うのではなく色の影響を加味した視力や視野の測定に注目が集まっており、種々の方法が提案されている（例えば、特許文献２及び３参照）。
【先行技術文献】
【特許文献】
【０００３】
【特許文献１】特開２０１２−１１１４６号公報
【特許文献２】特開２００２−２０９８４９号公報
【特許文献３】米国特許第５４６１４３６号明細書
【発明の概要】
【発明が解決しようとする課題】
【０００４】
本発明者らは、グレー色の背景中に１５色のランドルト環を表示した検査表を使用して、各色の視力を測定してみた。なお、背景の輝度は１００［ｃｄ／ｍ２］とし、視標の輝度は３０［ｃｄ／ｍ２］とし、視標の色はＲ，ＹＲ，ＲＹ，Ｙ，ＧＹ，ＹＧ，Ｇ，ＢＧ，ＧＢ，Ｂ，ＰＢ，ＢＰ，Ｐ，ＲＰ，ＰＲ（ＮＥＷ  ＣＯＬＯＲ  ＴＥＳＴの１５色）とした。図３はその測定結果を示す図であり、横軸には色を取り、縦軸には視力を取っている。この図に明らかなように、視力は視標の色にかかわらず一定となった。つまり、この結果は、測定に使用した視標には色が付いているけれども  各視標の色味のみが測定結果に影響を与えているのではなく（つまり、色付きの視標で視力測定はしているものの白色や黒色の視標で視力測定した結果とほぼ同じになり）、色視力（つまり、色味や彩度の影響を受けた視力）を正確に測定できていないということを意味している。【０００５】
このことからも分かるように、従来においては、色視力や色視野を色別に正確に測定できる手段が無かった。【０００６】
本発明は、上述の問題を解消することのできる色視機能測定手段及び色視機能測定システムを提供することを目的とするものである。
【課題を解決するための手段】
【０００７】
請求項１に係る発明は、図１及び図２に例示するものであって、有彩色にて着色された複数の視標（Ａ１１，…）が背景（Ｂ）中に表示されてなる色視機能測定手段（１，１０）であって、各視標（Ａ１１，…）を被検者が視認できるか否かを検査することに基づき該被検者の色視機能である色視力及び／又は色視野を測定することができる色視機能測定手段（１，１０）において、
前記複数の視標（Ａ１１，…）の全て、又は該複数の視標（Ａ１１，…）の内の少なくとも所定数の視標は、略同じ有彩色にて着色されてなり、
該視標（Ａ１１，…）の輝度は、前記背景（Ｂ）の輝度とほぼ等しくなるように設定され、
前記有彩色についての色視力及び／又は色視野を測定できるように構成されたことを特徴とする。【０００８】
請求項２に係る発明は、請求項１に係る発明において、前記複数の視標（Ａ１１，…）の全ての輝度、又は前記所定数の視標（Ａ１１，…）の輝度は、略等しく設定され、
該視標の輝度をα［ｃｄ／ｍ２］とし、前記背景の輝度をβ［ｃｄ／ｍ２］とした場合に、次式が成立するように構成されたことを特徴とする。
【数１】
2013157573.tif 000003
【０００９】
請求項３に係る発明は、請求項１又は２に係る発明において、前記背景（Ｂ）は無彩色であることを特徴とする。【００１０】
請求項４に係る発明は、請求項１乃至３のいずれか１項に記載の発明において、前記複数の視標（Ａ１１，…）の全て、又は前記所定数の視標（Ａ１１，…）は、大きさが異なるように設定され、
各視標（Ａ１１，…）を被検者が視認できるか否かを検査することに基づき前記有彩色についての前記被検者の色視力を測定できるように構成されたことを特徴とする。【００１１】
請求項５に係る発明は、請求項１乃至３のいずれか１項に記載の発明において、前記複数の視標（Ａ１１，…）の全て、又は前記所定数の視標（Ａ１１，…）は、大きさが略等しくなるように設定され、
種々の位置に呈示される各視標（Ａ１１，…）を被検者が視認できるか否かを検査することに基づき前記有彩色についての前記被検者の色視野を測定できるように構成されたことを特徴とする。【００１２】
請求項６に係る発明は、図１に例示するものであって、請求項１乃至５のいずれか１項に記載の発明において、前記背景（Ｂ）及び前記視標（Ａ１１，…）が表示される紙又は樹脂製シート（１）であることを特徴とする。【００１３】
請求項７に係る発明は、図２に例示するものであって、請求項１乃至５のいずれか１項に記載の発明において、液晶ディスプレイ、プラズマディスプレイ、有機ＥＬディスプレイ、及びＣＲＴの内の少なくとも１つからなるディスプレイ部（１１）と、
前記背景（Ｂ）を該ディスプレイ部（１１）に表示する背景表示部（１２）と、
所定の輝度、所定の色、及び所定の大きさの視標（Ａ１１，…）を前記ディスプレイ部（１１）に表示する視標表示部（１３）と、を備えたことを特徴とする。【００１４】
請求項８に係る発明は、図２に例示するものであって、請求項７に係る発明において、前記視標表示部（１３）により前記視標（Ａ１１，…）を表示する時間を制限する表示時間制限部（１４）と、
該表示された視標（Ａ１１，…）を被検者が認識した旨の信号を出力する認識検知部（１５）と、
該認識検知部（１５）からの信号に基づき前記被検者の色視力及び／又は色視野を判定する色視機能判定部（１６）と、を備えたことを特徴とする。【００１５】
請求項９に係る発明は、請求項７に係る発明において、各色毎の視標表示時間を記憶する視標表示時間記憶部（１７）と、
前記視標表示部（１３）により前記視標（Ａ１１，…）を表示する時間を、前記視標表示時間記憶部（１７）に記憶されている各色毎の視標表示時間に制限する表示時間制限部（１４）と、
表示された視標（Ａ１１，…）を被検者が認識した旨の信号を出力する認識検知部（１５）と、
該認識検知部（１５）からの信号に基づき前記被検者の色視力及び／又は色視野を判定する色視機能判定部（１６）と、を備えたことを特徴とする。【００１６】
請求項１０に係る発明は、請求項１乃至９のいずれか１項に記載の色視機能測定手段により測定した色視機能についての測定結果を入力する色視機能測定結果入力手段と、
色味の影響を受けない通常視機能についての測定結果を入力する通常視機能測定結果入力手段と、
前記色視機能についての測定結果と前記通常視機能についての測定結果とを比較又は表示する測定結果比較表示手段と、を備えたことを特徴とする色視機能測定システムについてのものである。【００１７】
請求項１１に係る発明は、請求項１乃至９のいずれか１項に記載の色視機能測定手段により測定した色視機能についての測定結果を入力する色視機能測定結果入力手段と、
該色視機能測定結果入力手段により入力された測定結果を、色度図上に三次元表示する測定結果表示手段と、を備えたことを特徴とする色視機能測定システムについてのものである。【００１８】
請求項１２に係る発明は、請求項１乃至９のいずれか１項に記載の色視機能測定手段により測定した色視機能についての測定結果を入力する色視機能測定結果入力手段と、
前記色視機能測定手段により測定した被検者の年齢を入力する年齢入力手段と、
色視機能についての年齢別の基準データを保存する基準データ保存手段と、
前記年齢入力手段により入力された年齢データに基づき、前記基準データ保存手段から該年齢データに対応する基準データを抽出する基準データ抽出手段と、
前記色視機能測定結果入力手段により入力された測定結果と前記基準データ抽出手段により抽出された基準データとを比較するデータ比較手段と、を備えたことを特徴とする色視機能測定システムについてのものである。【００１９】
なお、括弧内の番号などは、図面における対応する要素を示す便宜的なものであり、従って、本記述は図面上の記載に限定拘束されるものではない。
【発明の効果】
【００２０】
請求項１乃至７に係る発明によれば、色視力や色視野を色別に正確に測定することができる。【００２１】
請求項８に係る発明によれば、被検者の色視機能（色視力や色視野や疲労度）を簡便に判定することができる。【００２２】
請求項９に係る発明によれば、視標表示時間を色別の適正時間に設定でき、全体の測定に要する時間を短縮して測定作業の効率を上げることができる。【００２３】
請求項１０に係る発明によれば、被検者の色視力と通常の視力（つまり、色味の影響を受けない視力）とを容易に比較することができる。【００２４】
請求項１１に係る発明によれば、色視機能の色別の優劣を視覚的に把握することができる。【００２５】
請求項１２に係る発明によれば、被検者の色視機能（測定結果）を年齢別の基準データと比較することができる。
【図面の簡単な説明】
【００２６】
【図１】図１は、本発明に係る色視機能測定手段の構成の一例を示す模式図である。
【図２】図２は、本発明に係る色視機能測定手段の構成の他の例を示す模式図である。
【図３】図３は、従来の方法により色視力を測定した結果を示す測定結果図である。
【図４】図４(a) はｘｙ色度図であり、同図(b) はＬａｂ色度図である。
【図５】図５は、本発明に係る色視機能測定手段により色視力を測定した結果を示す測定結果図である。
【図６】図６(a) 〜(e) は、５人の被検者についての色視力測定結果を示す測定結果図である。
【図７】図７(a) は、２０才代の被検者と６０才代の被検者についての色視力測定結果を示す測定結果図であり、同図(b) は、２０才代の測定平均値と６０才代の測定平均値とそれらの差分を色別に整理した表である。
【図８】図８は、色視力測定結果を三次元表示した測定結果図である。
【発明を実施するための形態】
【００２７】
以下、図１乃至図８に沿って、本発明の実施の形態について説明する。
【００２８】
本明細書においては、色別の視力（例えば、赤色の物体を眼で識別できる能力や、青色の物体を眼で識別できる能力など）を「色視力」と称することとし、色別の視野（例えば、眼を動かさずに赤色を知覚できる周辺視の範囲や、眼を動かさずに青色を知覚できる周辺視の範囲など）を「色視野」と称することとし、色視力及び色視野を「色視機能」と総称することとする。
【００２９】
本発明に係る色視機能測定手段は、被検者の色視力及び／又は色視野を測定するためのものである。該色視機能測定手段は、例えば図１及び図２に符号１及び１０で例示するものであって、複数の視標（つまり、後述するランドルト環やその他の公知の視標）Ａ１１，…が背景Ｂ中に表示されてなるものであり、該複数の視標Ａ１１，…の全て、又は該複数の視標Ａ１１，…の内の少なくとも所定数の視標は、略同じ有彩色（つまり、略等しい色味を持つ有彩色）にて着色されている。なお、図１及び図２に示す色視機能測定手段１，１０では、表示されている全ての視標が５つの色（つまり、第１色〜第５色）に塗り分けられているが、もちろんこれに限られるものではなく、表示されている全ての視標が１つの色（例えば、赤色）で着色されていても、表示されている全ての視標が２〜４つ、或いは６つ以上の色に塗り分けられていても良い。また、図１及び図２に示す色視機能測定手段１，１０が表示している視標の数は４０個であるが、もちろんこれに限られるものではなく、視標の数を任意に設定することができる。さらに、有彩色の視標だけでなく無彩色（つまり、彩度が０）の視標を表示していてもよい。また、図１や図２に示す色視機能測定手段１，１０においては、全ての視標Ａ１１，…を同時に表示しているが、もちろんこれに限られるものではなく、１つ又は数個ずつの視標を順番に表示するようにしても良い。
【００３０】
そして、該複数の視標Ａ１１，…の内の少なくとも所定数の視標Ａ１１，…の輝度（明度）と、前記背景Ｂの輝度（明度）とはほぼ等しくなるように設定されていて、各視標Ａ１１，…を被検者が視認できるか否かを検査することに基づき、前記有彩色についての色視力及び／又は色視野を測定できるように構成されている。なお、前記視標と前記背景とは、色相及び彩度の少なくとも一方（又は両方）が異なるように設定されている。ここで、前記背景Ｂの輝度は２０〜１００［ｃｄ／ｍ２］の範囲（例えば、３０［ｃｄ／ｍ２］）に設定すると良く、前記視標Ａ１１，…の輝度をα［ｃｄ／ｍ２］とし、前記背景Ｂの輝度をβ［ｃｄ／ｍ２］とした場合に、次式が成立するように構成すると良い。すなわち、
【数２】
2013157573.tif 000004
【００３１】
この場合、前記背景Ｂの色は有彩色（つまり、彩度が０ではない色）にしても略無彩色（つまり、彩度が０の無彩色か、無彩色に若干の有彩色を混ぜた色）にしても良い。例えば、
・  背景Ｂを後述のようにグレー色とし、視標Ａ１１，…を何らかの有彩色にしても、
・  背景Ｂを特定の有彩色とし視標Ａ１１，…を何らかの有彩色にしても（例えば、背景Ｂを赤色とし、視標Ａ１１，…を彩度の異なる赤色としても、或いは背景Ｂを緑色とし視標Ａ１１，…を赤色としても）、
どちらでも良い。なお、略無彩色の背景は眼疾患の検査に使用すると良く、有彩色の背景は正常眼の疲労度の検査に使用すると良い。
【００３２】
また、前記複数の視標Ａ１１，…の全て、又は前記所定数の視標Ａ１１，…（つまり、略等しい色味を持つ有彩色にて着色されてなる複数の視標）は、大きさが漸次異なるように設定しておいて、各視標Ａ１１，…を被検者が視認できるか否かを検査することに基づき前記有彩色についての前記被検者の色視力を測定できるように構成しておくと良い。
【００３３】
さらに、前記複数の視標Ａ１１，…の全て、又は前記所定数の視標Ａ１１，…（つまり、略等しい色味を持つ有彩色にて着色されてなる複数の視標）は、大きさが略等しくなるように設定しておいて、種々の位置に呈示される各視標を被検者が視認できるか否かを検査することに基づき前記有彩色についての前記被検者の色視野を測定できるように構成するようにしても良い。なお、上述の色視機能測定手段１，１０で色視力測定をすれば、その被検者が視認できる色視標の大きさが分かるので、色視野検査においてはその大きさの色視標を使用すると良い。また、色視野測定の場合は中心部における視野を測定すれば足りるので、平面視野計を用いれば良い。
【００３４】
次に、本発明の効果について説明する。
【００３５】
視力検査の分野では、今までも、有彩色で着色された視標（色視標）を使って色視力を測定する試みがなされたこともあった。しかし、本発明のように背景と視標の輝度差を調整したものでは無かったため、その測定結果（色視力）は例えば図３に示すようなものとなり、視標の色にかかわらずほぼ一定であった。この結果は、測定に使用した視標には色が付いているけれども  各視標の色味が測定結果に影響を与えているのではなく（つまり、色付きの視標で視力測定はしているものの白色や黒色の視標で視力測定した結果とほぼ同じになり）、色視力を正確に測定できていないということを意味している。なお、視標の色にはＮＥＷ  ＣＯＬＯＲ  ＴＥＳＴの１５色（Ｒ，ＹＲ，ＲＹ，Ｙ，ＧＹ，ＹＧ，Ｇ，ＢＧ，ＧＢ，Ｂ，ＰＢ，ＢＰ，Ｐ，ＲＰ，ＰＲ）を使用し（図４(a) (b) 参照）、図３においては該１５色を横軸に取り、視力を縦軸に取った。また、背景はグレー色とし、背景の輝度は１００［ｃｄ／ｍ２］とし、視標の輝度は３０［ｃｄ／ｍ２］とした。
【００３６】
一方、本発明に係る色視機能測定手段１，１０により視力測定を行うと、その結果は図５に示すようなものとなった。なお、図５において  視標の色にはＮＥＷ  ＣＯＬＯＲ  ＴＥＳＴの１５色（Ｒ，ＹＲ，ＲＹ，Ｙ，ＧＹ，ＹＧ，Ｇ，ＢＧ，ＧＢ，Ｂ，ＰＢ，ＢＰ，Ｐ，ＲＰ，ＰＲ）を使用し（図４(a) (b) 参照）、該１５色を横軸に取り、視力を縦軸に取った。また、背景はグレー色とし、背景の輝度は３０［ｃｄ／ｍ２］とし、視標の輝度は３０［ｃｄ／ｍ２］とした。この図によれば、ＧＹやＢＰにおいて色視力が落ち込んでいるが、重要なのは、そのこと（つまり、ＧＹやＢＰにおいて色視力が落ち込んでいること）ではなく、測定した色視力が図３に示すように一定にはならず色によって大きく異なるという点である。測定した色視力が色によって異なるということは、視標の色味が測定結果に影響を与えていることを示しており、色別の視力（つまり、色視力）を測定できていることを示している。また、本発明に係る色視機能測定手段１，１０によって色視野を測定すると、色別の視野（色視野）を測定でき、本発明によれば、色視力や色視野を色別に正確に測定することが出来る。例えば、高齢の人はＲ色の視力が他の色の視力に比べて劣ることが知られているし、特定の眼疾患に掛かっている人は特定の色の視力が他の色の視力に比べて劣ることも知られているが、本発明によれば、そのような色別の視力の低下も正確に測ることができる。つまり、色には色相と明度（輝度）と彩度の３つの要素があるが、本発明では、背景の明度と視標の明度とをほぼ等しく設定しているので、色相の差や彩度の差で視標を認識していることとなる。
【００３７】
前記色視機能測定手段は、
・  略無彩色の背景と、略無彩色であって該背景とは輝度が異なる視標、
・  有彩色の背景と、有彩色であって該背景とは輝度がほぼ同じである視標、
・  略無彩色の背景と、有彩色であって該背景とは輝度がほぼ同じである視標
を表示するように構成しておくと良い。
【００３８】
ところで、前記色視機能測定手段としては、図２に符号１０で例示するように、
・  液晶ディスプレイ、プラズマディスプレイ、有機ＥＬディスプレイ、ＣＲＴ、及びその他の公知のディスプレイの内の少なくとも１つからなるディスプレイ部１１と、
・  前記背景Ｂを該ディスプレイ部１１に表示する背景表示部１２と、
・  所定の輝度、所定の色、及び所定の大きさの視標Ａ１１，…を前記ディスプレイ部１１に表示する視標表示部１３と、
からなる装置を挙げることができる。本発明によれば、前記背景Ｂの輝度と前記視標Ａ１１，…の輝度とは厳密に一致させておく必要が無いので、それらの輝度を厳密に一致させるような装置や制御を不要とし、装置を安価にできる。この場合、
・  表示された視標Ａ１１，…を被検者が認識した旨の信号を出力する認識検知部と、
・  該認識検知部からの信号に基づき、前記視標Ａ１１，…が呈示されてから前記被検者に認識されるまでに要した時間を測定する認識時間測定部と、
・  呈示された前記視標Ａ１１，…の大きさ又は呈示位置と前記認識時間測定部により測定した時間とから前記被検者の色視力及び／又は色視野を判定する色視機能判定部と、
を設けておいても良い。そのようにした場合には、視標を認識できたか否かだけでなく認識までに要した時間を加味して色視力や色視野を判定することができるので、より適確な判定が可能となる。また、
・  前記視標表示部１３により前記視標Ａ１１，…を表示する時間を規定時間（例えば、０．５秒や２．０秒）に制限する表示時間制限部１４と、
・  該表示された視標Ａ１１，…を被検者が認識した旨の信号を出力する認識検知部１５と、
・  該認識検知部１５からの信号に基づき前記被検者の色視力及び／又は色視野を判定する色視機能判定部１６と、
を設けておいても良い。そのようにした場合には、被検者の色視機能（色視力や色視野や疲労度）を簡便に（例えば、○とか×で）判定することができる。なお、正常眼が視標を視認できるのに要する時間は視標の色によって異なるので、
・  各色毎の視標表示時間（規定時間）を記憶する視標表示時間記憶部１７と、
・  前記視標表示部１３により前記視標を表示する時間を、前記視標表示時間記憶部（１７）に記憶されている各色毎の視標表示時間（規定時間）に制限する表示時間制限部１４と、
・  表示された視標Ａ１１，…を被検者が認識した旨の信号を出力する認識検知部１５と、
・  該認識検知部１５からの信号に基づき前記被検者の色視力及び／又は色視野を判定する色視機能判定部１６と、
を設けておいても良い。そのようにした場合には、視標表示時間を色別の適正時間に設定でき、全体の測定に要する時間を短縮して測定作業の効率を上げることができる。また、前記視標表示時間は眼疾患の種類によって変更すると良い。つまり、
・  各色毎及び眼疾患別の視標表示時間（規定時間）を記憶する視標表示時間記憶部１７と、
・  前記視標表示部１３により視標を表示する時間を、前記視標表示時間記憶部１７に記憶されている視標表示時間（規定時間）に制限する表示時間制限部１４と、
・  表示された視標Ａ１１，…を被検者が認識した旨の信号を出力する認識検知部１５と、
・  該認識検知部１５からの信号に基づき前記被検者の色視力及び／又は色視野を判定する色視機能判定部１６と、
を設けておいても良い。例えば、正常眼で０．２秒で判定できる色の視標なら患者に対しては０．２秒の所定倍（例えば、４倍）の時間で該視標を呈示し、正常眼で０．５秒で判定できる色の視標なら患者に対しては０．５秒の所定倍（例えば、４倍）の時間で該視標を呈示するようにすると良い。そのようにした場合には、患者に対しても視標表示時間を色別及び眼疾患別の適正時間に設定でき、全体の測定に要する時間を短縮して測定作業の効率を上げることができる。なお、眼病が初期の段階か末期の段階かで視標表示時間や視標の色を変更するようにしても良い。また、前記認識検知部１５としては、被検者や検査者により操作されるジョイスティックやボタンなどを挙げることができる。
【００３９】
また、前記色視機能測定手段としては、前記背景Ｂ及び前記視標Ａ１１，…を表示（印刷）した紙や樹脂製シートや冊子（図１の符号１参照）を挙げることができる。本発明によれば、前記背景Ｂの輝度と前記視標Ａ１１，…の輝度とは厳密に一致させておく必要は無く略等しく設定されていれば足りるので、上述のように紙や樹脂製シートに公知の方法で手軽に印刷することができる。なお、視力が低下する色は眼疾患の種類によって異なるので、眼疾患別の視力検査表を作製しておけば、各眼疾患を患っている患者は  必要な色の視力だけを優先的に測定すれば足りる。
【００４０】
一方、
・  上述した色視機能測定手段１，１０により測定した色視機能についての測定結果を入力する色視機能測定結果入力手段と、
・  色味の影響を受けない通常視機能（つまり、白色や黒色の略無彩色の視標、或いは背景の輝度と所定以上輝度が異なる視標を使用することにより測定した、色味の影響を受けない視力や視野）についての測定結果を入力する通常視機能測定結果入力手段と、
・  前記色視機能についての測定結果と前記通常視機能についての測定結果とを比較又は表示する測定結果比較表示手段と、により色視機能測定システムを構成しても良い。該色視機能測定システムによれば、被検者の色視力と通常の視力（つまり、色味の影響を受けない視力）とを容易に比較することができる。
【００４１】
また、
・  前記色視機能測定手段１，１０により測定した色視機能についての測定結果を入力する色視機能測定結果入力手段と、
・  該色視機能測定結果入力手段により入力された測定結果を、色度図上に三次元表示する測定結果表示手段と、
により色視機能測定システムを構成しても良い。図８に、測定結果表示手段により表示した図の一例を示す。図中の符号Ｃは色度図を示し、符号Ｄ１，…は各色の色視機能（例えば、色視力）を表す線分を示す。この色視機能測定システムによれば、色視機能の色別の優劣を視覚的に把握することができる。
【００４２】
さらに、
・  前記色視機能測定手段１，１０により測定した色視機能についての測定結果を入力する色視機能測定結果入力手段と、
・  前記色視機能測定手段１，１０により測定した被検者の年齢を入力する年齢入力手段と、
・  色視機能についての年齢別の基準データを保存する基準データ保存手段と、
・  前記年齢入力手段により入力された年齢データに基づき、前記基準データ保存手段から該年齢データに対応する基準データを抽出する基準データ抽出手段と、
・  前記色視機能測定結果入力手段により入力された測定結果と前記基準データ抽出手段により抽出された基準データとを比較するデータ比較手段と、
により色視機能測定システムを構成しても良い。該色視機能測定システムによれば、被検者の色視機能（測定結果）を年齢別の基準データと比較することができる。
【実施例１】
【００４３】
本発明の実施例１を図１及び図６に沿って説明する。【００４４】
本実施例では、図１に示す視力検査表（色視機能測定手段）１を使って色視力を測定した。なお、図１に示す視力検査表１ではランドルト環（視標）が５色に塗り分けられていて５色の色視力を測定できるようになっているが、本実施例では、ＮＥＷ  ＣＯＬＯＲ  ＴＥＳＴの１５色（Ｒ，ＹＲ，ＲＹ，Ｙ，ＧＹ，ＹＧ，Ｇ，ＢＧ，ＧＢ，Ｂ，ＰＢ，ＢＰ，Ｐ，ＲＰ，ＰＲ）に塗り分けられたランドルト環を使用し、該１５色についての色視力を測定した。また、背景Ｂの色はグレーとし、各視標Ａ１１，…及び該背景Ｂの輝度は３０［ｃｄ／ｍ２］とした。【００４５】
図６(a) 〜(e) は５人の被検者についての測定結果を示した図であり、横軸には各視標の色を取り、縦軸には視力を取っている。なお、図中の通常視力とは、背景Ｂの輝度を１００［ｃｄ／ｍ２］とし、視標Ａ１１，…の輝度を３０［ｃｄ／ｍ２］として測定した視力のことであり、色視力とは、背景Ｂの輝度を３０［ｃｄ／ｍ２］とし、視標Ａ１１，…の輝度を３０［ｃｄ／ｍ２］として測定した視力のことである。この図より、色視力は人によって上下に多少はばらつくものの、ＧＹ付近とＢＰ付近で局部的に視力が落ちるという現象は共通していることが分かる。そして、本実施例によれば、上述したように色味や彩度の影響を受ける色視力を正確に測定できることが分かった。
【実施例２】
【００４６】
本発明の実施例２を図７(a) (b) に沿って説明する。【００４７】
図７(a) は、６０才代の被検者の色視力（各色の色視力は、１７人の男性と５人の女性についての平均値である）と２０才代の被検者の色視力（各色の色視力は、５人の男性と１４人の女性についての平均値である）を比較して示した図であり、同図(b)
は、２０才代の測定平均値と６０才代の測定平均値とそれらの差分を色別に整理した表である。この図７(a) より、６０才代の被検者の色視力が２０才代の被検者の色視力より低下していることが理解できる。また、図７(b)
より、加齢による視力の低下の度合いは色によって異なり、例えば、加齢によるＲ視力の低下の度合いは０．１７６５であって、Ｙ視力の０．１２９５に比べて大きいことが分かる。
【符号の説明】
【００４８】
１                  色視機能測定手段（視力検査表）
１０                色視機能測定手段
１１                ディスプレイ部
１２                背景表示部
１３                視標表示部
１４                表示時間制限部
１５                認識検知部
１６                色視機能判定部
１７                視標表示時間記憶部
Ａ１１，…            視標（ランドルト環）
Ｂ                  背景
【図１】
2013157573.tif 000006
【図２】
2013157573.tif 000007
【図３】
2013157573.tif 000008
【図４】
2013157573.tif 000009
【図５】
2013157573.tif 000010
【図６】
2013157573.tif 000011
【図７】
2013157573.tif 000012
【図８】
2013157573.tif 000013
【国際調査報告】
2013157573.tif 000014
2013157573.tif 000015
2013157573.tif 000016
2013157573.tif 000017